(57)【要約】  【課題】  給気側と排気側の双方に対して風圧のバランスがとれ、耐風速性が向上し、オイルバーナーを安定させた状態で燃焼させることができる燃焼機器を提供する。  【解決手段】  筐体１前面に、互いに独立した空間を介して燃焼部に連通する排気口2aと給気口とを備えた給排気板13を設け、前記排気口2aと前記給気口にそれぞれ対向し、上下に延びる複数のスリット状の排気孔11と給気孔とを備えた給排気カバーを前記給排気板13に装着してなる燃焼機器において、前記給排気板13の左右の一側に排気口2aを、他側に給気口を並設し、前記排気孔11の上下方向の位置を、前記排気口2aの上下方向の位置よりズラしてなる構成とした。  【選択図】図２
2006084147.tif 000002
【特許請求の範囲】
【請求項１】
筐体前面に、互いに独立した空間を介して燃焼部に連通する排気口と給気口とを設けるとともに、前記排気口と前記給気口にそれぞれ対向し、上下に延びる複数のスリット状の排気孔と給気孔とを設けてなる燃焼機器において、
前記筐体前面の左右の一側に前記排気口を、他側に前記給気口を並設し、前記排気孔の上下方向の位置を、前記排気口の上下方向の位置よりズラしてなることを特徴とする燃焼機器。
【請求項２】
前記複数の排気孔のうち、前記筐体の側面側の一部を遮風部材により閉塞してなることを特徴とする請求項１記載の燃焼機器。
【請求項３】
前記複数の給気孔のうち、少なくとも前記排気孔寄りの前記給気孔間に遮風部材を設けてなることを特徴とする請求項１記載の燃焼機器。
【発明の詳細な説明】
【技術分野】
【０００１】
本発明は温水暖房機等の燃焼機器に係わり、さらに詳しくは、室外機の筐体前面に設けられた給排気孔の耐風速性能を向上するための構造に関する。
【背景技術】
【０００２】
従来の温水暖房機等の燃焼機器は、室内機と室外機とにより構成されている。この室外機の耐風速性能においては、給排気のバランス（給排気の位置、構造等）によって給排気に当る風圧が変化する。それに起因する燃焼に与える影響としては、給気不足、給気過多（炎のリフト）、排気が給気へ回り込むこと（ショートサーキット）による不完全燃焼がある。
【０００３】
燃焼機器の給気側と排気側の双方に対して風圧のバランスがとれ、耐風速性能を向上させるものとして、例えば、図４（Ａ）、（Ｂ）に示すようなものが知られている（特許文献１参照。）。
筺体1'内に暖房用の温水を得る熱交換器を有する燃焼部と、前記筺体1'の前面上部に同燃焼部に燃焼空気を供給する給気孔14' を設け、同給気孔14' の近傍に前記燃焼部にて生成された燃焼ガスを排出する排気孔13' を設けてなる燃焼機器において、前記給気孔14' は上下に延びる複数のスリットを設けるとともに、同スリットに開口方向左向きに屈曲する凸状のルーバ17b'と、開口方向右向きに屈曲する凸状のルーバ17a'とを組合わせて設けた。
【０００４】
上記構成において、排気孔13' 側から矢印方向に斜め前から風が吹いてきた場合、排気孔13' が受ける風の力が大きいので、給気側は３ヵ所の給気孔14' で風を受けることにより、排気孔13' と給気孔14' の双方に対して風圧のバランスがとれ、耐風速性が向上し、オイルバーナーを安定させた状態で燃焼させることができる燃焼機器となる。
また、給気孔14' 側から矢印方向に斜め前から風が吹いてきた場合、給気孔14' が受ける風の力が大きいので、給気側は１ヵ所の給気孔14' で風を受けることにより、排気孔13' と給気孔14' の双方に対して風圧のバランスがとれ、上記と同様に耐風速性が向上し、オイルバーナーを安定させた状態で燃焼させることができる燃焼機器となる。
【０００５】
しかしながら、上記構成の場合、排気孔13' が水平方向に延びるスリット状に形成され、給気孔14' と同一水平面上に並設されているため、風が排気孔13' 側から真横に吹いてきた場合、排気が給気孔14' に回り込み、ショートサーキットによる不完全燃焼のおそれがある。また、給気孔14' のルーバ17a,17b の構造が複雑となり、金型費用や加工工数が増加し、コストアップにつながるという問題がある。
【０００６】
【特許文献１】特開２０００−９３４８号公報（第３〜４頁、第１〜５図）
【発明の開示】
【発明が解決しようとする課題】
【０００７】
本発明は上記の問題点に鑑み、給気側と排気側の双方に対して風圧のバランスがとれ、耐風速性能が向上し、ショートサーキット現象を防ぎ、オイルバーナーを安定させた状態で燃焼させることができる燃焼機器を提供することを目的とする。
【課題を解決するための手段】
【０００８】
本発明は上述の課題を解決するため、筐体前面に、互いに独立した空間を介して燃焼部に連通する排気口と給気口とを設けるとともに、前記排気口と前記給気口にそれぞれ対向し、上下に延びる複数のスリット状の排気孔と給気孔とを設けてなる燃焼機器において、
前記筐体前面の左右の一側に前記排気口を、他側に前記給気口を並設し、前記排気孔の上下方向の位置を、前記排気口の上下方向の位置よりズラしてなる構成となっている。
【０００９】
また、前記複数の排気孔のうち、前記筐体の側面側の一部を遮風部材により閉塞してなる構成となっている。
【００１０】
また、前記複数の給気孔のうち、少なくとも前記排気孔寄りの前記給気孔間に遮風部材を設けてなる構成となっている。
【発明の効果】
【００１１】
本発明によれば、排気孔の上下方向の位置を、排気口の上下方向の位置より上方に設け、また、排気孔の下端面の位置を、給気孔の下端面の位置より上方に設け、また、複数の排気孔のうち、筐体の側面側の一部を遮風部材により排気しないようにする構成とし、更に、複数の給気孔のうち、排気孔側の１番目と２番目との間に遮風部材を設けた構成とすることにより、給気側と排気側の双方に対して風圧のバランスがとれ、耐風速性能が向上し、ショートサーキット現象を防ぎ、オイルバーナーを安定させた状態で燃焼させることができる燃焼機器となる。
【発明を実施するための最良の形態】
【００１２】
以下、本発明の実施の形態を図面に基づいた実施例として詳細に説明する。図１（Ａ）は本発明における燃焼機器の外観斜視図、図１（Ｂ）は燃焼機器の横断面図、図１（Ｃ）は給排気孔部分の要部拡大斜視図である。
【００１３】
図１（Ａ）乃至（Ｃ）において、燃焼機器は、底板1a上に立設した両側面および背面からなる外板1bと、前面を覆う前板1cと、上面を覆う天板1dとからなる筐体１内に配置された送風機４、バーナ７および下部に燃焼室５を備えた熱交換器６と、前記前板1cの上部に形成された開口部に設けられ、前記バーナ７への給気路３を構成する給気口9aと、前記熱交換器６からの排気ガスを外部に排出する排気路８を構成する排気口2aとを備えた給排気板13と、同給排気板13に取付けられ、前記給気口9aに連なる開口を有する給気箱９および前記排気口2aに連なる開口を有する排気箱２と、前記給排気板13の前面にに装着され、前記給気口9aに対向するスリット状の給気孔12を備えた給気カバー14a と、前記排気口2aに対向するスリット状の排気孔11とを備えた排気カバー14b とで構成されている。
【００１４】
前記給気孔12は、上下に延びる複数のスリットを設けるとともに、同スリットに開口方向左向きに屈曲する凸状の切り起こしにより形成されたルーバ12a と、開口方向右向きに屈曲する凸状の切り起こしにより形成されたルーバ12b とを組合わせて設けられている。
また、前記排気孔11は、上下に延びる複数のスリットにより形成されている。
【実施例１】
【００１５】
前記排気孔11と前記給気孔12とをほぼ同一水平線上の左右に並設し、図２に示すように、前記排気孔11の上下方向の位置（高さｈ１）を、前記排気口2aの上下方向の位置（高さｈ２）より上方に設けてなる構成となっている。
この構成により、バーナにて生成された燃焼ガス（排気ガス）b'は、図２の矢印で示すように、前記排気路８から排気箱２を経由して、同排気箱２の前記排気口2aを通り、前記筐体１の前面に設けられた排気孔11から筐体１の外部上方に向け排出される。
【００１６】
この結果、排気ガスb'は風が排気孔11側から真横に吹いてきた場合でも、並設されている給気孔12に回り込むショートサーキット現象を防ぐことができ、バーナーを安定させた状態で燃焼させることができる燃焼機器となる。
【実施例２】
【００１７】
図３（Ａ）と（Ｂ）に示すように、前記複数の排気孔11のうち、例えば、筐体の側面側の３列を、前記給排気板13と前記排気カバー14b との間に遮風部材15にて遮風し、前記３列の排気孔11をダミー孔とし（デザイン上の観点より孔は設けておく）、排気しないよう閉塞してなる構成となっている。
これにより、風が排気孔11側の斜め前から吹いてきた場合、排気ガスにかかる風圧が減り耐風速性能を向上することができる。
【実施例３】
【００１８】
図３（Ａ）と（Ｃ）に示すように、前記複数の給気孔12のうち、例えば、前記排気孔11側の１番目と２番目との間に遮風部材16を設けてなる構成となっている。
これにより、風が排気孔11側から真横に吹いてきた場合でも、排気ガスが並設されている給気孔12に回り込むショートサーキット現象を防ぐことができ、バーナーを安定させた状態で燃焼させることができる燃焼機器となる。
【００１９】
以上に説明したように、前記給排気板13の左右の一側に排気口2aを、他側に給気口9aを並設し、前記排気孔11の上下方向の位置を、前記排気口2aの上下方向の位置より上方に設けた構成とする。また、前記排気孔11の下端面の位置を、前記給気孔12の下端面の位置より上方に設けた構成とする。また、前記複数の排気孔11のうち、前記筐体１の側面側の一部を遮風部材15により排気しないようにする構成とする。更に、前記複数の給気孔12のうち、前記排気孔11側の１番目と２番目との間に遮風部材16を設けた構成とすることにより、給気側と排気側の双方に対して風圧のバランスがとれ、耐風速性能が向上し、ショートサーキット現象を防ぎ、オイルバーナーを安定させた状態で燃焼させることができる燃焼機器となる。
【図面の簡単な説明】
【００２０】
【図１】（Ａ）は本発明における燃焼機器の外観斜視図、（Ｂ）は燃焼機器の横断面図、（Ｃ）は給排気孔部分の要部拡大斜視図である。
【図２】本発明の実施例１における要部拡大断面図である。
【図３】本発明の実施例２および実施例３における排気孔および給気孔の正面図である。
【図４】（Ａ）は従来例における燃焼機器の外観概略図、（Ｂ）は従来例における排気孔および給気孔の要部拡大斜視図である。
【符号の説明】
【００２１】
１  筐体
1a  底板
1b  外板
1c  前板（前面板）
1d  天板
２  排気箱
2a  排気口
３  給気路
４  送風機
５  燃焼室
６  熱交換器
７  バーナ
８  排気路
９  給気箱
9a  給気口
11  排気孔
12  給気孔
12a,12b ルーバ
13  給排気板  
14a 給気カバー
14b 排気カバー
15,16   遮風部材
【図１】
2006084147.tif 000003
【図２】
2006084147.tif 000004
【図３】
2006084147.tif 000005
【図４】
2006084147.tif 000006